(57)【要約】【課題】マイクロホンを支持する可撓性パイプに話者が触手した際に火花放電が発生するのを防止して音声信号に雑音を発生させないようにしたマイクロホン装置の提供。【解決手段】可撓性パイプ２の基端側には必要回路が収納されたユニット本体を、先端側にはマイクロホンをそれぞれ付設してなるマイクロホン装置において、可撓性パイプ２における話者の触手部位には、その周面３に塗布した導電性接着剤１２を介して短繊維１３を静電植毛したフロック層１１を設け、該フロック層１１に帯電防止処理を施した。これにより、人体が帯電状態にある話者が可撓性パイプ２側に触手したとしても、マイクロホン側が生成する音声信号に火花放電に由来する雑音を発生させることをなくすことができる。【選択図】図１
2006019858.tif 000002
【特許請求の範囲】
【請求項１】
可撓性パイプの基端側には必要回路が収納されたユニット本体を、先端側にはマイクロホンユニットを内蔵させたマイクロホンをそれぞれ配設してなるマイクロホン装置において、
前記可撓性パイプにおける話者の触手部位には、その周面に塗布した導電性接着剤を介して短繊維を静電植毛したフロック層を設け、該フロック層には帯電防止処理を施したことを特徴とするマイクロホン装置。
【請求項２】
前記帯電防止処理は、静電気拡散性のある静電気防止剤を塗布して行った請求項１に記載のマイクロホン装置。
【発明の詳細な説明】
【技術分野】
【０００１】
本発明は、マイクロホンを支持するグースネックとも称されている可撓性パイプに話者が触手した際に火花放電が発生するのを防止して音声信号に雑音を発生させないようにしたマイクロホン装置に関する技術である。
【背景技術】
【０００２】
会議場などで使用されるマイクロホン装置にあっては、話者の口元にマイクロホンを向けやすいようにグースネックとも称されている可撓性パイプにマイクロホンユニットを内蔵させたマイクロホンを支持させて形成されているものが多用されている。
【０００３】
一般にマイクロホンがコンデンサーマイクロホンである場合には、マイクロホンユニットのインピーダンスが高いことからＥＦＴ等のインピーダンス変換器が用いられるほか、その性能および機能を充足させるために出力回路やローカット回路等が内蔵されることになる。
【０００４】
一方、図２は、会議用などで従来から用いられている非伸縮性の可撓性パイプを備えるマイクロホン装置の一例を一部を省略して示す断面図であり、マイクロホン装置１は、可撓性パイプ２の基端側には必要回路が収納されたユニット本体４を、先端側にはマイクロホンユニット６を内蔵させたマイクロホン５側をそれぞれ配設して形成されている。
【０００５】
該マイクロホン装置１にあっては、マイクロホン５自体を目立たなくするするためにマイクロホンユニット６側にインピーダンス変換器を内蔵させ、可撓性パイプ２のユニット本体４側に出力回路やローカット回路等が収容された回路収納部を設け、該回路収納部側とインピーダンス変換器とを図示しない専用ケーブルで接続したものが用いられる。そして、マイクロホン５の音声信号は、回路収納部の側に内蔵されている出力回路から出力されることになる。
【０００６】
可撓性パイプ２を備える上記マイクロホン装置１の場合には、会議などにおいて話者が口元にマイクロホン５を向ける等の必要から可撓性パイプ２に直に触手することが多い。この際、話者は、自席から発言場所にまで移動する際にカーペット等の上を歩行することになり、このときに話者の人体に静電気が帯電する。
【０００７】
このように帯電した話者がマイクロホン装置１における可撓性パイプ２側に触手すると、該可撓性パイプ２と人体との間で電磁波源である火花放電が発生し、これがマイクロホン５の音声信号に雑音を発生させることになる。このような不具合は、マイクロホンの静電シールドを確実にすることである程度は軽減できるものの、雑音の発生を回避させるまでには至らない。
【０００８】
一方、マイクロホン装置の分野においては、マイクロホンの音声信号に雑音を発生させないようにするものとしてではないものの、その表面に無数の短繊維を静電植毛し、かつ、該短繊維を除菌して消臭剤を吸収させることでマイクロホンプロテクターを形成し、これをマイクヘッドに被着して使用するようにしたものも提案されている（特許文献１）。
【特許文献１】特開平６−３８２８７号公報
【発明の開示】
【発明が解決しようとする課題】
【０００９】
しかし、上記特許文献１に開示されている従来技術は、あくまでもマイクヘッドに被着して衛生的に使用することを意図してなされたものであり、マイクロホンの音声信号に雑音を発生させなくすることを目的とするものではなく、その他の従来技術においても静電植毛技術を利用して雑音の発生を効果的に防止しようとするものを見出すことはできなかった。
【００１０】
本発明は、従来技術の上記課題に鑑み、マイクロホンを支持する可撓性パイプに話者が触手した際に火花放電が発生するのを防止して音声信号に雑音を発生させないようにしたマイクロホン装置を提供することを目的とする。
【課題を解決するための手段】
【００１１】
本発明は、上記目的を達成すべくなされたものであり、可撓性パイプの基端側には必要回路が収納されたユニット本体を、先端側にはマイクロホンユニットを内蔵させたマイクロホンをそれぞれ配設してなるマイクロホン装置において、前記可撓性パイプにおける話者の触手部位には、その周面に塗布した導電性接着剤を介して短繊維を静電植毛したフロック層を設け、該フロック層に帯電防止処理を施したことを最も主要な特徴とする。この場合における前記帯電防止処理は、静電気拡散性のある静電気防止剤を塗布して行うのが好ましい。
【発明の効果】
【００１２】
本発明によれば、可撓性パイプにおける話者の触手部位の周面に塗布した導電性接着剤を介して短繊維を静電植毛したフロック層を設け、該フロック層には帯電防止処理を施してあるので、フロック層を構成している短繊維は、適切な抵抗値を保持しており、話者が触手してもゆっくりと電荷を移動させることができ、その放電速度も緩慢となって火花放電手が発生するのを防止して音声信号に雑音を発生させないようにすることができる。
【発明を実施するための最良の形態】
【００１３】
図１は、図２に示すマイクロホン装置１における可撓性パイプ２に対し短繊維を静電植毛した状態を示す要部説明図である。この図によれば、図２に示す可撓性パイプ２は、非伸縮構造が付与された所定長のもとで形成されている。
【００１４】
該可撓性パイプ２における話者の触手部位には、その周面３に導電性接着剤（例えば藤倉化成株式会社：商品名「ドータイト」等）１２が塗布され、該導電性接着剤１２を介在させた上で、パイル等からなる短繊維１３を静電植毛する。これにより、可撓性パイプ２における話者の触手部位には、短繊維１３を直立密集させたフロック層１１が形成されることになる。なお、該フロック層１１は、可撓性パイプ２における話者の触手部位に形成されるものであるが、必要によりその全長にわたって形成することもできる。
【００１５】
また、このようにして形成されたフロック層１１には、静電気拡散性のある静電気防止剤１４を例えば噴霧するなどして塗布する帯電防止処理が施され、これにより導電化された各短繊維１３が可撓性パイプ２における話者の触手部位の周面３に直立密集することになり、可撓性パイプ２側に直に触手することができなくなる。なお、静電気防止剤１４としては、表面抵抗（Ω）が１０＾８〜１０＾９程度の液状のメタノール（溶媒）を好適に用いることができる。
【００１６】
したがって、本発明によれば、帯電した人体が細径な短繊維１３の先端側に接近すると、相互間が不平等電界となり、放電しやすい状態となる。
【００１７】
しかし、放電を開始したとしても、帯電防止処理が施された短繊維１３は、適切な抵抗値を保持しているために、ゆっくりと電荷が移動する結果、放電速度も緩慢となって激しい火花放電を発生させることはない。
【００１８】
したがって、人体が帯電状態にある話者が可撓性パイプ２側に触手したとしても、マイクロホン５が生成する音声信号に火花放電に由来する雑音を発生させることをなくすことができる。
【００１９】
以上は、本発明を図示例に基づいて説明したものであり、その具体的な構成はこれに限定されるものではない。例えば、マイクロホン装置１は、可撓性パイプ２を備えているものでさえあれば、机等の台上に設置するスタンドタイプのものほか、ヘッドセットタイプのものであってもよい。また、フロック層１１は、可撓性パイプの一部に形成しても、その全長にわたり形成してもよい。
【図面の簡単な説明】
【００２０】
【図１】図２に示すマイクロホン装置における可撓性パイプに対し短繊維を静電植毛した状態を示す要部説明図。
【図２】会議用などとして用いられる可撓性パイプを備えるマイクロホン装置の一例を一部を省略して示す断面図。
【符号の説明】
【００２１】
１  マイクロホン装置
２  可撓性パイプ
３  周面
４  ユニット本体
５  マイクロホン
６  マイクロホンユニット
１１  フロック層
１２  導電性接着剤
１３  短繊維
１４  静電気防止剤
【図１】
2006019858.tif 000003
【図２】
2006019858.tif 000004